(57)【要約】【課題】従来の方式では微粒子を生成する元となる金属材料としては採用し難かった組み合わせについてもより容易に採用できるようにした金属微粒子生成装置ならびにこれを備えた髪ケア装置を得る。【解決手段】放電極２を、複数の線材（棒状部材２ａおよび環状部材２ｂ）を含むメッシュ状に形成した。このため、材質の異なる複数の線材から放電極２を構成することができるため、合金にはし難かった金属材料の組み合わせについても、微粒子化させる金属材料として使用することができる。【選択図】図１
2010075253.tif 000002
【特許請求の範囲】
【請求項１】
放電極とグラウンド電極とを有し当該放電極とグラウンド電極との間で放電させることにより金属部材に含まれる金属の微粒子を放出させる金属微粒子生成装置において、
前記放電極およびグラウンド電極のうち少なくともいずれか一方の電極を、複数の線材を含むメッシュ状に形成したことを特徴とする金属微粒子生成装置。
【請求項２】
前記メッシュ状に形成した電極に、線材によって突起を形成したことを特徴とする請求項１に記載の金属微粒子生成装置。
【請求項３】
前記メッシュ状に形成した電極を、筒状に形成したことを特徴とする請求項１または２に記載の金属微粒子生成装置。
【請求項４】
請求項１〜３のうちいずれか一つに記載の金属微粒子生成装置を備える髪ケア装置。
【発明の詳細な説明】
【技術分野】
【０００１】
本発明は、金属微粒子生成装置およびそれを備える髪ケア装置に関する。
【背景技術】
【０００２】
従来、遷移金属を含む電極間で放電させることによって当該遷移金属の微粒子を生成し、その微粒子を髪に向けて放出するようにしたヘアドライヤが知られている（特許文献１）。
【特許文献１】特開２００８−２３０６３号公報
【発明の開示】
【発明が解決しようとする課題】
【０００３】
上記特許文献１に開示される金属微粒子生成装置では、複数種類の金属材料の金属微粒子を生成する場合には、電極を、それら複数の金属材料を含む合金として形成することになる。
【０００４】
このため、合金として構成し難い金属材料の組み合わせについては、金属微粒子生成装置で微粒子を生成して放出するものとしては採用し難かった。
【０００５】
そこで、本発明は、従来の方式では微粒子を生成する元となる金属材料としては採用し難かった組み合わせについてもより容易に採用できるようにした金属微粒子生成装置ならびにこれを備えた髪ケア装置を得ることを目的とする。
【課題を解決するための手段】
【０００６】
請求項１の発明にあっては、放電極とグラウンド電極とを有し当該放電極とグラウンド電極との間で放電させることにより金属部材に含まれる金属の微粒子を放出させる金属微粒子生成装置において、上記放電極およびグラウンド電極のうち少なくともいずれか一方の電極を、複数の線材を含むメッシュ状に形成したことを特徴とする。
【０００７】
請求項２の発明にあっては、上記メッシュ状に形成した電極に、線材によって突起を形成したことを特徴とする。
【０００８】
請求項３の発明にあっては、上記メッシュ状に形成した電極を、筒状に形成したことを特徴とする。
【０００９】
請求項４の発明にあっては、上記金属微粒子生成装置を備える髪ケア装置である。
【発明の効果】
【００１０】
請求項１の発明によれば、材質の異なる複数の線材から電極を構成することができるため、合金にはし難かった金属材料の組み合わせについても、微粒子化させる金属材料として使用することができる。
【００１１】
請求項２の発明によれば、放電時に突起に対して電界の集中度を高めることができるため、微粒子化する性能を向上させやすくなる。
【００１２】
請求項３の発明によれば、筒状に形成した分、剛性を高めることができるとともに、筒の先端側に突起を形成しやすくなって、微粒子化する性能を向上させやすくなる。
【００１３】
請求項４の発明によれば、髪ケア装置において、従来の装置では放出させにくかった金属の微粒子の組み合わせを実現でき、髪や地肌に対して種々の作用を与えやすくなる。
【発明を実施するための最良の形態】
【００１４】
以下、本発明の実施形態について図面を参照しながら詳細に説明する。なお、以下の複数の実施形態および変形例には、同様の構成要素が含まれている。よって、それら同様の構成要素については共通の符号を付与するとともに、重複する説明を省略する。また、各実施形態および実施例に示す構成は、他の実施形態や他の実施例の対応する構成に置き換えることができる。
【００１５】
（第１実施形態）図１は、本発明の第１実施形態にかかる金属微粒子生成装置の概略構成を示す図（斜視図）である。
【００１６】
本実施形態にかかる金属微粒子生成装置１は、複数の線材をメッシュ状に形成した放電極２と、リング状のグラウンド電極３とを備えており、これら放電極２とグラウンド電極３との間に配線４を介して図示しない高電圧回路によって高電圧を印加して、放電（コロナ放電等）を生じさせ、その放電作用によって金属微粒子（金属の分子やイオン等）を放出させるものである。
【００１７】
放電極２は、全体として円筒状のメッシュとして形成されており、当該円筒の軸方向に延びて周方向に一定間隔で複数配置された棒状部材２ａと、円環状に形成されて軸方向に一定間隔で複数配置された環状部材２ｂと、を一体化したものである。接合方法としては、溶接、溶着、接着等、種々の方法を採用することができる。また、複数の線材同士を結んだり、編んだりして放電極２を形成することも可能であるし、結んだり編んだりした後に相互に溶接、溶着、接着等することで接合してもよい。
【００１８】
これら棒状部材２ａおよび環状部材２ｂは、それぞれ、遷移金属（例えば、金、銀、銅、白金、亜鉛、チタン、ロジウム、パラジウム、イリジウム、ルテニウム、オスミウム等）を含む部材として構成され、具体的には、それら遷移金属の単体、合金、あるいはメッキ処理した部材等として構成される。金属微粒子生成装置１で生成され放出された金属の微粒子に、金や、銀、銅等が含まれている場合、当該金属の微粒子によって抗菌作用を生じさせることができる。また、金属の微粒子に、白金、亜鉛、チタン等が含まれている場合、当該金属の微粒子によって抗酸化作用を生じさせることができる。なお、白金は、抗酸化作用が極めて高いことが判明している。
【００１９】
そして、この放電極２は、材質の異なる線材（棒状部材２ａあるいは環状部材２ｂ）を組み合わせて形成することができる。具体的には、例えば、抗菌作用を与える金属材料を含む線材と、抗酸化作用を与える金属材料を含む線材とから放電極２を構成すれば、この放電極２を含む金属微粒子生成装置１から放出される複数種類の金属の微粒子によって、抗菌作用と抗酸化作用との双方を得ることができる。
【００２０】
複数の材質の線材の組み合わせ方としては、棒状部材２ａを一本おきに異なる材質にしたり、上側と下側で材質を異ならせたり、棒状部材２ａと環状部材２ｂとで材質を異ならせたりするなど、種々採用することができる。
【００２１】
グラウンド電極３は、放電極２の先端側外方に、放電極２の延伸方向と略直交する姿勢で、円環の中心が放電極２の中心軸の延長線と略一致するように配置されている。
【００２２】
そして、かかる構成では、放電極２の棒状部材２ａのグラウンド電極３側の先端は、グラウンド電極３に向けて突出する突起部２ｃとなっている。したがって、放電極２とグラウンド電極３との間に高電圧を印加した際には、突起部２ｃに対して電界の集中度を高めることができる。
【００２３】
以上のように、本実施形態にかかる金属微粒子生成装置１では、放電極２を、複数の線材（棒状部材２ａおよび環状部材２ｂ）を含むメッシュ状に形成した。このため、材質の異なる複数の線材から放電極２を構成することができるため、合金にはし難かった金属材料の組み合わせについても、微粒子化させる金属材料として使用することができる。また、金属の微粒子を空気流に乗せて放出する場合には、メッシュ状とした分、空気抵抗を減らすことができる上、金属の微粒子の放出効率を高めることができるという利点がある。
【００２４】
また、本実施形態では、メッシュ状に形成した放電極２に、線材によって突起部（突起）２ｃを形成した。このため、放電時に突起部２ｃに対して電界の集中度を高めることができ、微粒子化する性能を向上させやすくなる。
【００２５】
また、本実施形態では、メッシュ状に形成した放電極２を、筒状に形成した。よって、放電極２の剛性を高めることができるとともに、筒の先端側に突起部２ｃを形成しやすくなって、微粒子化する性能を向上させやすくなる。なお、円筒状以外の筒状（例えば角筒状等）に形成してもよい。
【００２６】
（第２実施形態）図２は、本発明の第２実施形態にかかる金属微粒子生成装置の概略構成を示す図（斜視図）である。
【００２７】
本実施形態にかかる金属微粒子生成装置１Ａは、グラウンド電極３Ａをメッシュ状に形成し、放電極２Ａを尖端２ｆを有する棒状に形成したものである。
【００２８】
グラウンド電極３Ａは、上記第１実施形態の放電極２と同様に、全体として円筒状のメッシュとして形成されており、当該円筒の軸方向に延びて周方向に一定間隔で複数配置された棒状部材３ａと、円環状に形成されて軸方向に一定間隔で複数配置された環状部材３ｂと、を一体化したものである。
【００２９】
また、上記第１実施形態の放電極２と同様に、棒状部材３ａおよび環状部材３ｂは、それぞれ、遷移金属を含む部材として構成されるとともに、グラウンド電極３Ａは、材質の異なる線材（棒状部材３ａあるいは環状部材３ｂ）を組み合わせて形成される。
【００３０】
そして、グラウンド電極３Ａは、放電極２Ａの先端側外方で、筒状部分の中心軸が放電極２Ａの中心軸の延長線と略一致するように配置される。
【００３１】
以上のように、本実施形態にかかる金属微粒子生成装置１Ａでは、グラウンド電極３Ａを、複数の線材（棒状部材３ａおよび環状部材３ｂ）を含むメッシュ状に形成した。このため、材質の異なる複数の線材からグラウンド電極３Ａを構成することができるため、合金にはし難かった金属材料の組み合わせについても、微粒子化させる金属材料として採用しやすくなる。
【００３２】
また、本実施形態によっても、上記第１実施形態と同様、グラウンド電極３Ａに突起部３ｃを設けたことによる効果、ならびにグラウンド電極３Ａを筒状に形成したことによる効果が得られる。
【００３３】
（電極の変形例）図３〜図６は、放電極の変形例を示す図（斜視図）である。図３の変形例にかかる放電極２Ｂは、縦部材２ｄと横部材２ｅとを組み合わせて平面的に広がった円形状のメッシュとして形成されている。縦部材２ｄおよび横部材２ｅの両端が、それぞれ突起部２ｃとなっており、この突起部２ｃに電界を集中させることができる。
【００３４】
図４の変形例にかかる放電極２Ｃでは、図３の変形例にかかる放電極２Ｂのメッシュの格子点から縦部材２ｄまたは横部材２ｅを折り曲げてそれら縦部材２ｄおよび横部材２ｅに対して垂直に突出させ、突起部（突起）２ｇを形成したものである。この場合、突起部２ｇは、グラウンド電極（図示せず）に向けて突出させるのが好適である。かかる構成では、突起部２ｇの先端にも電界を集中させることができる。
【００３５】
図５の変形例にかかる放電極２Ｄは、縦部材２ｄと横部材２ｅとを組み合わせて平面的に広がった矩形状（正方形状）のメッシュとして形成されている。
【００３６】
図６の変形例にかかる放電極２Ｅは、図５の変形例にかかる放電極２Ｄのメッシュの周縁部で、縦部材２ｄおよび横部材２ｅの端部を折り曲げてそれら縦部材２ｄおよび横部材２ｅに対して垂直に突出させ、突起部２ｇを形成したものである。この場合も、突起部２ｇは、グラウンド電極（図示せず）に向けて突出させるのが好適である。かかる構成では、突起部２ｇの先端にも電界を集中させることができる。
【００３７】
なお、上記変形例では、いずれも放電極をメッシュ状に形成した場合について例示したが、グラウンド電極を同様に形成してもよい。また、上記変形例も、各メッシュを材質の異なる複数の線材（縦部材２ｄおよび横部材２ｅ）によって形成することで、複数の金属の微粒子を生成しかつ放出させることができる。
【００３８】
（第３実施形態）図７は、本実施形態にかかる金属微粒子生成装置を備える髪ケア装置としてのヘアドライヤの側面図である。
【００３９】
本実施形態にかかる髪ケア装置としてのヘアドライヤ２０は、使用者が手で握る部分としての把持部２０ｂと、把持部２０ｂと交差する方向に結合された本体部２０ａとを備えており、把持部２０ｂと本体部２０ａとで略Ｔ字状あるいは略Ｌ字状（本実施形態では略Ｔ字状）の外観を呈するように構成されている。また、把持部２０ｂの突出端側からは、電源コード２３が引き出されている。なお、本実施形態では、把持部２０ｂは折り畳み可能に構成されている。
【００４０】
ケーシング２４は、複数の分割体を継ぎ合わせて構成されている。このケーシング２４の内部には空洞が形成されており、この空洞内に、各種電気部品が収容されている。
【００４１】
本体部２０ａの内部には、その長手方向（図７の左右方向）の一方側（左側）の開口部２８ａから他方側（右側）の開口部２８ｂに至る空洞２８が形成されており、当該空洞２８内に収容されたファン（図示せず）を回転することによって、外部から開口部２８ａを介して空洞２８内に流入し、当該空洞２８内を通って開口部２８ｂから排出される空気流Ｗが形成されるようになっている。すなわち、本実施形態では、空洞２８が送風通路に相当する。
【００４２】
また、本実施形態では、本体部２０ａの内部に略円筒状の内筒２５が設けられており、空気流Ｗは主としてこの内筒２５の内側を流れるようになっている。内筒２５の内部では、最も上流側にモータやファンを含む空気流生成部２１が配置され、空気流生成部２１の下流側に加熱機構としてのヒータ２６が配置されている。ヒータ２６を作動させたときには、吹出口となる開口部２８ｂから温風が吹き出されることになる。
【００４３】
また、本体部２０ａには、ケーシング２４と内筒２５との間に形成された空洞２９内に、上記第１実施形態にかかる金属微粒子生成装置１と回路部２７とが配置されている。回路部２７には、少なくとも、金属微粒子生成装置１の放電極２とグラウンド電極３との間に高電圧を印加する高電圧回路が含まれる。
【００４４】
内筒２５の長手方向のほぼ中央部には、空洞２８と空洞２９とを連通する連通路（図示せず）が形成されており、内筒２５の内側の空洞２８を流れる空気流Ｗの一部が分岐されて外側の空洞２９へ導入され、当該空洞２９内を流れる分岐流Ｗｐが形成されるようになっている。
【００４５】
上述したように、本実施形態では、金属微粒子生成装置１は、空洞２９内に配置されており、当該金属微粒子生成装置１で発生した荷電粒子（金属の微粒子）は、空洞２９内を流れる分岐流Ｗｐに乗せられて、開口部２８ｂとは別の開口部２８ｃから排出される。
【００４６】
以上の本実施形態によれば、金属微粒子生成装置１によって生成した金属微粒子を含む分岐流Ｗｐを、開口部２８ｃから吹き出すことができるため、髪や地肌に対して、当該金属微粒子による種々の作用（抗菌作用、抗酸化作用など）を与えることができる。
【００４７】
そして、材質の異なる複数の線材をメッシュ状に形成して放電極２を構成することができるため、従来の装置では得られなかった複数の金属の組み合わせについて、それぞれの効果を得ることができる。なお、本実施形態に示したヘアドライヤ２０はあくまで一例であって、第１実施形態以外の金属微粒子生成装置を設けてもよいし、ヘアドライヤの構成もこの実施形態に限定されるものではない。
【００４８】
（第４実施形態）図８は、本実施形態にかかる金属微粒子生成装置を備える髪ケア装置としてのヘアブラシの断面図である。
【００４９】
図８に示すように、髪ケア装置としてのヘアブラシ２０Ａは、回動支持部２２で折り畳み可能に形成されており、伸展させた状態で使用者が把持部２０ｃを持って先端部２０ｄに設けられたブラシ部３０を髪に当てて整髪する（髪を梳かす）ものである。ブラシ部３０には、複数のブリッスル３０ａが突設されている。
【００５０】
ケーシング３１は、複数の分割体を継ぎ合わせて構成されており、その内部には空洞が形成され、この空洞内に、各種電気部品が収容されている。
【００５１】
また、ケーシング３１には、ブラシ部３０のブリッスル３０ａに向けて開放された開口部３３が形成され、さらに、この開口部３３を終端とする空洞３２が形成されている。そして、この空洞３２内に、上記第１実施形態にかかる金属微粒子生成装置１が収容されている。よって、この金属微粒子生成装置１で生成された金属微粒子が開口部３３から外部に放出され、髪や地肌に作用することになる。なお、金属微粒子生成装置１は、回路部２７によって駆動される。
【００５２】
以上の本実施形態にかかるヘアブラシ２０Ａも、髪や地肌に対して、金属微粒子による種々の作用（抗菌作用、抗酸化作用など）を与えることができる。
【００５３】
そして、本実施形態でも、材質の異なる複数の線材をメッシュ状に形成して放電極２を構成することができるため、従来の装置では得られなかった複数の金属の組み合わせについて、それぞれの効果を得ることができる。なお、本実施形態に示したヘアブラシ２０Ａはあくまで一例であって、第１実施形態以外の金属微粒子生成装置を設けてもよいし、ヘアブラシの構成もこの実施形態に限定されるものではない。また、モータおよびファンを内蔵して、開口部３３から金属の微粒子を含む空気流を吹き出させるようにしてもよい。
【００５４】
（第５実施形態）図９は、本実施形態にかかる髪ケア装置としてのヘアアイロンの断面図である。
【００５５】
図９に示すように、本実施形態にかかる髪ケア装置としてのヘアアイロン２０Ｂは、回動連結部３６を介して略Ｖ字状に拡開可能な二つのアーム部２０ｅ，２０ｆを備えており、それらアーム部２０ｅ，２０ｆの先端側の挟持部３７に髪を挟み込んで加熱部３８で加熱して整髪するものである。
【００５６】
ケーシング３９の内部には空洞が形成され、この空洞内に、各種電気部品が収容されている。また、ケーシング３９には開口部３３が形成され、さらにこの開口部３３を終端とする空洞３２が形成されている。そして、この空洞３２に、金属微粒子生成装置１が収容されている。金属微粒子生成装置１で発生した金属微粒子は、開口部３３から放出される。
【００５７】
以上の本実施形態にかかるヘアアイロン２０Ｂも、髪や地肌に対して、金属微粒子による種々の作用（抗菌作用、抗酸化作用など）を与えることができる。
【００５８】
そして、本実施形態でも、材質の異なる複数の線材をメッシュ状に形成して放電極２を構成することができるため、従来の装置では得られなかった複数の金属の組み合わせについて、それぞれの効果を得ることができる。なお、本実施形態に示したヘアアイロン２０Ｂはあくまで一例であって、第１実施形態以外の金属微粒子生成装置を設けてもよいし、ヘアアイロンの構成もこの実施形態に限定されるものではない。
【００５９】
以上、本発明の好適な実施形態について説明したが、本発明は上記実施形態には限定されず、種々の変形が可能である。
【図面の簡単な説明】
【００６０】
【図１】本発明の第１実施形態にかかる金属微粒子生成装置の概略構成を示す図（斜視図）である。
【図２】本発明の第２実施形態にかかる金属微粒子生成装置の概略構成を示す図（斜視図）である。
【図３】本発明の実施形態にかかる金属微粒子生成装置に含まれる放電極の変形例を示す図（斜視図）である。
【図４】本発明の実施形態にかかる金属微粒子生成装置に含まれる放電極の別の変形例を示す図（斜視図）である。
【図５】本発明の実施形態にかかる金属微粒子生成装置に含まれる放電極のさらに別の変形例を示す図（斜視図）である。
【図６】本発明の実施形態にかかる金属微粒子生成装置に含まれる放電極のさらに別の変形例を示す図（斜視図）である。
【図７】本発明の第３実施形態にかかる髪ケア装置としてのヘアドライヤの断面図である。
【図８】本発明の第４実施形態にかかる髪ケア装置としてのヘアブラシの断面図である。
【図９】本発明の第５実施形態にかかる髪ケア装置としてのヘアアイロンの断面図である。
【符号の説明】
【００６１】
１，１Ａ  金属微粒子生成装置
２，２Ｂ，２Ｃ，２Ｄ，２Ｅ  放電極（電極）
２ｃ，２ｇ，３ｃ  突起部（突起）
３Ａ  グラウンド電極（電極）
２０  ヘアドライヤ（髪ケア装置）
２０Ａ  ヘアブラシ（髪ケア装置）
２０Ｂ  ヘアアイロン（髪ケア装置）
【図１】
2010075253.tif 000003
【図２】
2010075253.tif 000004
【図３】
2010075253.tif 000005
【図４】
2010075253.tif 000006
【図５】
2010075253.tif 000007
【図６】
2010075253.tif 000008
【図７】
2010075253.tif 000009
【図８】
2010075253.tif 000010
【図９】
2010075253.tif 000011